(57)【特許請求の範囲】
【請求項１】
後端部が収納柄に枢着され、所要の長さ、高さ及び幅とを有する細長い頭部から下方に向かって僅かな角度で狭くなる両側のホルダ−第１傾斜面と、該ホルダ−第１傾斜面下端から最下端に向かってそれより大きい角度で狭くなるホルダ−第２傾斜面とを有し、その最下端から該頭部に向かうにつれて所要角度で僅かに広くなる断面台形刃台嵌合凹部を形成し、且つ該収納柄との連結部の後端に形成された指嵌合凹部を有する台形ホルダ−本体と；
該台形ホルダ−本体の後端部に折畳自在に枢着された２枚の細長い側板から成る収納柄と；
該断面台形刃台嵌合凹部の両側傾斜面に対応し、所要の高さを有する両側の刃台第１傾斜面と、該刃台第１傾斜面の下端長手方向に形成された段部から所要の高さで下端に向かって形成された刃台第２傾斜面と、該刃台第２傾斜面の下端長手方向に形成された段部から最下端に向かって形成されたV字形下端肌当て部を形成し、該刃台第２傾斜面に所要数の突起を形成し、該刃台第２傾斜面の下端長手方向に所要間隔で溝を形成して櫛形としたＶ字形下端肌当て部とを有する台形刃台とから成り；
該台形刃台の該刃台第２傾斜面の両面に左右対称かみそりを装着し、該突起で固定して該断面台形刃台嵌合凹部に着脱自在に嵌合し、該かみそり刃の外側面と該台形刃台嵌合凹部の内側面と当面とし、両側の該かみそり刃の各先端内側と該下端肌当て部の外側とに間隙を形成し、該台形刃台を肌面に垂直にあてた時、該台形刃台が肌面と接触する点と該かみそり刃の各先端とを結ぶ線と肌面とが２０°〜３０°の傾斜角となる角度範囲とし、該ホルダ−本体の引き乃至押しの操作により、該Ｖ字形下端肌当て部の傾斜面を肌面にフィットさせて該かみそり刃先が該角度範囲の傾斜角を取るようにしたことを特徴とする二枚替刃式かみそり。
【請求項２】
該Ｖ字形下端肌当て部の長手方向に一定間隔で円弧状溝を平行に形成して成る請求項１記載の二枚替刃式かみそり。
【請求項３】
該Ｖ字形下端肌当て部の長手方向に一定間隔で所要幅の溝を所要角度で斜め平行に形成して成る請求項１及び２記載の二枚替刃式かみそり。
【請求項４】
該Ｖ字形下端肌当て部の長手方向に形成される該溝の幅を３ｍｍとし、その間隔を５ｍｍとして成る請求項１〜３記載の二枚替刃式かみそり。
【発明の詳細な説明】
【０００１】
【発明の属する技術分野】
この発明は、理髪師、美容師等が顧客の髭剃に使用する二枚替刃式かみそりに関し、更に詳しくは、理髪師、美容師等が顧客の顔剃に使用する肌面に安全で使い勝手が良好な業務用の二枚替刃式かみそりとしてのみならず、使用者の熟練度に関係なく、家庭で自己の顔剃にも安全に使用可能な二枚替刃式かみそりに関し、この出願人の特願２００１―２３４２１５の二枚替刃式かみそりの改良に関する。
【０００２】
【従来の技術】
社会構造の変化により血液を媒体として感染するエイズ、肝炎等が爆発的に増加して深刻な社会問題となりつつあり、理容店、美容店等で取り扱う器具類に対しても、保健所から理容、美容器具類の消毒の徹底指導が厳しく実施されている。
現在、多種多様なかみそりが開発され、市場に出回っているが、かみそりは刃先を直接顔や首等の皮膚面に当てて作業するから、特別の気配りが必要であり、かなり熟練した理髪師、美容師でも、自分の健康状態によっては不覚でお客の皮膚を傷つけてエイズ、肝炎等の感染と言う深刻な社会問題を提起している。
【０００３】
従って、理容店、美容店等に於いては、西洋かみそりの様な砥石により刃を付ける作業は減少し、保健所の強い要請で替刃式かみそりが多く使用されており、替刃は一顧客ごとに廃棄処分されるか、又は消毒液（逆性石鹸「オスバン」登録商標、消毒用エタノ−ル液）等により消毒して対応している。
【０００４】
【発明が解決しようとする課題】
一般的に顔剃りは、かみそりを持った手首を扇形或いは円弧状に手前に引いて実施している。
そこで出願人は、二枚替刃式かみそりを先に提案した。
（１）この二枚替刃式かみそりで顔剃りした場合、時々髭の剃り残しがあり、襟足の剃りも不完全である。
（２）そのホルダ−本体の刃台嵌合凹部と刃台とが平行であるから、嵌合したかみそり刃先が脱落する危険性があり、ストッパ−等で固定する必要があるから使用上不便である。
（３）一般的にかみそり刃先は固定されており、中間部から先端部分のみが使用されるので、刃の先端部分が切れなくなった場合は、かみそり本体を廃棄処分し、新品と交換するから極めて不経済である。
（４）かみそり刃先が直線状であるから、所要角度でかみそりを寝かせると長短の髭を効率的に剃れない。
（５）剃った長短の髭、皮脂、石鹸の逃げ場がないので刃台嵌合凹部と刃台との間隙内に石鹸、髭、皮膚の剃り滓等が嵌合するので溜まると刃の切れ味が悪くなり、かみそり本来の機能が生かされない。
（６）ホルダー本体に嵌合する刃台とかみそり刃先の着脱が不自由である。
（７）公知のかみそりの柄は、直線状であるから不用意に落下する等の欠陥がある。
【０００５】
この発明は、公知の二枚替刃式かみそりの欠陥を除去するもので、その第１要旨は、後端部が収納柄に枢着され、所要の長さ、高さ及び幅とを有する細長い頭部から下方に向かって僅かな角度で狭くなる両側のホルダ−第１傾斜面と、該ホルダ−第１傾斜面下端から最下端に向かってそれより大きい角度で狭くなるホルダ−第２傾斜面とを有し、その最下端から該頭部に向かうにつれて所要角度で僅かに広くなる断面台形刃台嵌合凹部を形成し、且つ該収納柄との連結部の後端に形成された指嵌合凹部を有する台形ホルダ−本体と；該台形ホルダ−本体の後端部に折畳自在に枢着された２枚の細長い側板から成る収納柄と；該断面台形刃台嵌合凹部の両側傾斜面に対応し、所要の高さを有する両側の刃台第１傾斜面と、該刃台第１傾斜面の下端長手方向に形成された段部から所要の高さで下端に向かって形成された刃台第２傾斜面と、該刃台第２傾斜面の下端長手方向に形成された段部から最下端に向かって形成されたV字形下端肌当て部を形成し、該刃台第２傾斜面に所要数の突起を形成し、該刃台第２傾斜面の下端長手方向に所要間隔で溝を形成して櫛形としたＶ字形下端肌当て部とを有する台形刃台とから成り；該台形刃台の該刃台第２傾斜面の両面に左右対称かみそりを装着し、該突起で固定して該断面台形刃台嵌合凹部に着脱自在に嵌合し、該かみそり刃の外側面と該台形刃台嵌合凹部の内側面と当面とし、両側の該かみそり刃の各先端内側と該下端肌当て部の外側とに間隙を形成し、該台形刃台を肌面に垂直にあてた時、該台形刃台が肌面と接触する点と該かみそり刃の各先端とを結ぶ線と肌面とが２０°〜３０°の傾斜角となる角度範囲とし、該ホルダ−本体の引き乃至押しの操作により、該Ｖ字形下端肌当て部の傾斜面を肌面にフィットさせて該かみそり刃先が該角度範囲の傾斜角を取るようにしたことを特徴とする二枚替刃式かみそりである。
【０００６】
この発明の第２要旨は、Ｖ字形下端肌当て部の長手方向に一定間隔で円弧状溝を平行に形成して成る二枚替刃式かみそりである。
【０００７】
この発明の第３要旨は、Ｖ字形下端肌当て部の長手方向に一定間隔で所要幅の溝を所要角度で斜め平行に形成して成る二枚替刃式かみそりである。
【０００８】
この発明の第４要旨は、Ｖ字形下端肌当て部の長手方向に形成される溝の幅を３ｍｍとし、その間隔を５ｍｍとして成る二枚替刃式かみそりである。
【０００９】
【発明の実施の態様】
この発明の実施の態様を左右対称の二枚の替刃を台形刃台の両側に着脱自在に(即ち交換自在に)接触して台形ホルダ−本体の台形刃台嵌合凹部に嵌合し、これら替刃の刃先が、該台形刃台のＶ字形下端肌当て部に形成した傾斜面に倣って肌面に対し所定の浅い角度を取るようにし、両側の該かみそり刃の各先端内側と該Ｖ字形下端肌当て部の外側とに間隙を形成し、該ホルダ−本体の引き乃至押しの動作の画一安定性を確保し、肌面に安全且つ使い勝手が良好で業務用としてのみならず、使用者の熟練度に関係なく、家庭用としても安全に使用可能な二枚替刃式かみそりである。
【００１０】
【実施例】
図１〜５に於いて、請求項１記載の発明の二枚替刃式かみそりを説明する。二枚替刃式かみそり１０は、台形ホルダ−本体１２と、その後端部１２ｅに部分的に回転自在に枢着された収納柄３０とから成る。
【００１１】
該収納柄３０は、犬をデフォルム化した二枚の細長い側板３０ａ、３０ａの先端部で該ホルダー本体１２の後端部を挟持するようにボルト３２、ナット３４、ワッシャ−３６及びリング３８を介して折畳自在に枢着されている。
【００１２】
図６、7に示す通り、該台形ホルダ−１２は、所要の長さ、高さ及び幅を有する細長い頭部１２ａの長手方向内側に該頭部１２ａから下端１２ｂ、１２ｂに向かって僅かな角度で狭くなる両側のホルダ−第１傾斜面１２ｃ、１２ｃとし、該ホルダ−第１傾斜面１２ｃ、１２ｃの下端から下端１２ｂ、１２ｂに向かってより大きい角度で狭くなる両側のホルダ−第２傾斜面１２ｃ’、１２ｃ’とし、該下端１２ｂ、１２ｂ中間部から上方に向かって長手方向に所要角度で僅かに広くなる断面台形刃台嵌合凹部１２ｄを形成する。
【００１３】
図7に於いて、該台形ホルダ−本体12の該断面台形刃台嵌合凹部12ｄに嵌合される台形刃台１６は、該断面台形刃台嵌合凹部１２ｄの該第１傾斜面１２ｃ、１２ｃに対応する両側の第１傾斜面１６ｃ、１６ｃと、その下側に後述のかみそり刃２０、２０を保持する両側の段付き第２傾斜面１６ｃ１、１６ｃ１とを形成し、該第２段付き両側傾斜面１６ｃ１、１６ｃ１の下端面長手方向に該かみそり刃２０の嵌合溝２０ｂ、２０ｂに嵌合する突起１６ｄ、１６ｄを突設する。
【００１４】
図８に於いて、請求項１記載の該台形刃台１６ｄのＶ字形下端肌当て部１６ｂの下面長手方向に所要間隔で所要幅の溝１６ｆ、１６ｆ・・・を所定間隔１６ｇ、１６ｇ・・・で形成し、その両側１６ｃ２、１６ｃ２をＶ字形とする。
【００１５】
図９に於いて、請求項２記載の該台形刃台１６の該Ｖ字形下端肌当て部１６ｂは、その下端面長手方向に所要幅の円弧状溝１６ｆ１、１６ｆ１・・・を所定間隔１６ｇ、１６ｇ・・・で形成して櫛形とする。
【００１６】
図１０に於いて、請求項３記載の該台形刃台１６の該Ｖ字形下端肌当て部１６ｂは、その下面長手方向に所要幅の溝１６ｆ２、１６ｆ２・・・を所定間隔１６ｇ、１６ｇ・・・で、且つ所要角度で斜め平行に形成して櫛形とする。
【００１７】
請求項２記載の該台形刃台１６の該Ｖ字形下端肌当て部１６ｂは、その下面長手方向に溝の幅を３ｍｍとし、その間隔を５ｍｍとする。
【００１８】
この発明の二枚替刃式かみそりの分解斜視図を示す図5に於いて、該略台形刃台１６の該刃台第２段付き傾斜面１６ｃ１、１６ｃ１面に該かみそり刃２０、２０を合わせ、該突起１６ｃ’、１６ｃ’を該左右対称かみそり刃２０、２０の該溝２０ｂ、２０ｂに嵌合させた後、該ホルダ−本体１２の該台形刃台嵌合凹部１２ｄ内に着脱自在に嵌合して一体とすれば、該かみそり刃２０、２０の内側と該Ｖ字形下端肌当て部１６ｂのＶ字形外側面１６ｃ２、１６ｃ２とに間隙２２が形成される。
【００１９】
従って、該かみそり刃２０、２０の該刃先２０ａ、２０ａと該Ｖ字形下端肌当て部１６ｂとの内側に間隙２２が形成され、該略台形刃台１６が肌面と接触する点と該かみそり刃２０、２０の各先端とを結ぶ線と肌面とが２０°〜３０°の傾斜角となる角度範囲とし、該ホルダ−本体１２の引き乃至押しの操作で、該Ｖ字形下端肌当て部１６ｂの傾斜面を肌面にフィットさせて該かみそり刃先が該所定角度範囲の傾斜角を取るようにしたことを特徴とする二枚替刃式かみそりが得られる。
【００２０】
該台形刃台嵌合凹部１２ｄに嵌合される該台形刃台１６は、その下面長手方向に所要間隔で所要幅の溝１６ｆ、溝１６ｆ・・・を形成して櫛形とした下端肌当て部１６ｂとし、該溝１６ｆ、溝１６ｆ・・・内に長短の髭を導いて左右いずれかの該かみそり刃２０、２０の該刃先２０ａ、２０ａで効果的に剃れるようになる。
【００２１】
そして該台形刃台１６の該Ｖ字形下端肌当て部１６ｂ中心と両側の該片刃かみそり刃２０、２０の先端とを結ぶ線が２０°〜３０°の角度範囲とする。
所定角度範囲が２０°〜３０°の傾斜角としたのは、この発明者の度重なる実験の結果、２０°を下回ると、薄い片刃かみそり刃２０が剃り角度から削り角度に寝てしまい、３０°を上回ると片刃かみそり刃２０が不必要以上に立ち上がって肌面を引掻くおそれがあることを確認したことによるものである。
【００２２】
その結果該台形ホルダ−本体１２の引き乃至押しの操作に際し、該Ｖ字形下端肌当て部１６ｂの縦断面中央部の傾斜面を肌面にフィットさせるので該かみそり刃２０、２０の刃先２０ａ、２０ａが該角度範囲の傾斜角を取るように構成した二枚替刃式かみそり１０とする。
【００２３】
【発明の作用】
前述の通り、この発明に於いては、二枚の左右対称の該片刃かみそり刃２０、２０を該台形刃台１６の両側に着脱可能に挿着し、これらの刃先２０ａ、２０ａが、該台形刃台１６の該Ｖ字形下端肌当て部１６ｂの縦断面中央部の両側に形成した該刃台第１傾斜面１６ｃ、１６ｃに倣って肌面に対し所定の浅い角度をとるようにし、両側の該かみそり刃の各先端内側と該下端肌当て部の外側とに間隙を形成して剃った髭、皮脂、石鹸等を一時的に溜め、該ホルダ−本体の引き乃至押しの動作の画一安定性を確保して肌面に安全且つ使い勝手が良好で業務用としてだけでなく使用者の熟練度に関係なく、家庭用としても安全に使用可能な二枚替刃式かみそりである。
【００２４】
【発明の効果】
（１）この発明の二枚替刃式かみそり１０によれば、二枚の左右対称の片刃かみそり刃２０、２０の交換が容易となるから、該かみそり２０、２０の刃先２０ａ、２０ａの中間部から先端部分が切れなくなった場合、該台形ホルダ−本体１２の後端の該指嵌合凹部１２ｆに指を嵌合して該刃台１６と該かみそり刃２０、２０とを前方に押せば、これら部材は該ホルダ−本体１２から該台形刃台嵌合凹部１２ｄから容易に外せるから、左右の該かみそり刃２０、２０を８の字を描く様に交換すれば、該かみそり刃２０、２０の寿命を延ばすことが出来るので極めて経済的となる。
【００２５】
（２）該ホルダ−本体１２の該台形刃台嵌合凹部１２ｄに該台形刃台１６の両側に装着し、該かみそり２０、２０を合わせ、該かみそり刃２０の嵌合溝２０ｂ、２０ｂに該突起１６ｄ、１６ｄを嵌合するので該かみそり刃２０、２０の脱落が全くなくなる。
【００２６】
（３）該頭部１２ａから該下端１２ｂに向かって所要角度で狭くなる該ホルダ−第１傾斜面１２ｃ、１２ｃとし、該下端１２ｂから上方に向かって台形刃台嵌合凹部１２ｄを形成し、且つ該ホルダ−本体１２の後端で該収納柄３０との連結部３０ａの後端に指嵌合凹部１２ｆを形成したので該台形刃台１６と該かみそり刃２０、２０の取外しや交換が容易となる。
【００２７】
（４）該かみそり刃２０、２０の該刃先２０ａ、２０ａと該Ｖ字形下端肌当て部１６ｂとの内側の該間隙２２、２２内に剃られた長短の髭、皮脂、皮膚の剃り滓、石鹸等が櫛形溝１６ｆを介して導かれるので該刃先２０ａ、２０ａが剃り難くならない。該間隙２２、２２内の長短の髭、皮脂、皮膚の剃り滓、石鹸等を流水や消毒液に浸漬して洗浄する。
【００２８】
（５）前述の通り、該台形刃台を肌面に垂直にあてた時、肌面と該かみそり刃の各先端とを結ぶ線が２０°〜３０°の傾斜角となる角度範囲とし、該ホルダ−本体の引き乃至押しの操作で、該Ｖ字形下端肌当て部の傾斜面を肌面にフィットさせて該かみそり刃先が該所定角度範囲の傾斜角を取るようにしたことを特徴とする二枚替刃式かみそりが得られるので、理容、美容業者にとり、安全な操作、円滑な剃り作業が可能となり、襟足の剃りも可能となり、顧客にとっては切り傷を負う心配から開放されて安心して髭剃りを任せることができる。
【００２９】
（６）同時にこの二枚替刃式かみそり１０は、使用者の熟練度に関係なく使用できるので家庭でも自己の顔剃が安全に実施可能となる。
【００３０】
（７）該台形ホルダ−本体１２に枢着された該収納柄３０が直線状でないから、使用者が不用意に該二枚替刃式かみそり１０を落下することがない。
【００３１】
（８）図１２、１３に示す通り、この二枚替刃式かみそり１０は、該台形ホルダ−本体１２の引き乃至押しの動作の画一的に実施可能であるから安定性が格段に高まり、肌面に安全且つ使い勝手が良好で業務用としてのみならず、使用者の熟練度に関係なく、家庭用としても安全に使用可能な二枚替刃式が得られる。
【００３２】
（９）更に、この二枚替刃式かみそり１０に於いては、そのかみそり刃２０の交換が容易にできるので、衛生的となり、所要に応じ、顧客ごとに使い捨てることにより、血液を媒体とする病気の感染防止にも寄与する。
【００３３】
【図面の簡単な説明】
【図１】この発明に係る二枚替刃式かみそりにより剃髪している状態を示す斜視図；
【図２】図１に示す二枚替刃式かみそりの正面図；
【図３】図２に示す二枚替刃式かみそりから刃台とかみそり刃とを前方に取外す状態を示す斜視図；
【図４】図１〜図２に示す二枚替刃式かみそりを折畳んで収納柄に収納した状態を示す斜視図；
【図５】図１〜図４に示す二枚替刃式かみそりを分解した状態から組立てる状態を示す分解斜視図；
【図６】図１〜図５に示す二枚替刃式かみそりのホルダ−本体のＶ１−Ｖ１線拡大断面略図：
【図７】図６に示す二枚替刃式かみそりのホルダ−本体に嵌合される刃台のＶ１１−Ｖ１１線拡大断面略図：
【図８】図７に示す二枚替刃式かみそりの刃台の部分拡大正面図；
【図９】図８に示す刃台の他の実施例の部分拡大正面図；
【図１０】図９に示す刃台の更に他の実施例の部分拡大正面図；
【図１１】この発明に係る二枚替刃式かみそりにより剃髪している状態を示すＸ１−Ｘ１部分拡大断面略図；
【図１２】図１１に示す二枚替刃式かみそりにより剃髪している状態を示す他の部分拡大断面図。
【図１３】図１２に示す二枚替刃式かみそりにより押しながら剃髪している状態を示す他の部分拡大断面図。
【００３４】
【符号の説明】
１０      二枚替刃式かみそり；
１２      台形ホルダ−本体；
１２ａ      頭部；
１２ｂ      最下端；
１２ｃ      第１傾斜面
１２ｃ’      第２傾斜面；
１２ｄ      台形刃台嵌合凹部；
１２ｅ      後端部；
１２ｆ      指嵌合凹部；
１６      台形刃台；
１６ｂ      Ｖ字形下端肌当て部；
１６ｃ      刃台第１傾斜面；
１６ｃ１ 刃台第２傾斜面；
１６ｃ２          Ｖ字形下端肌当て部の側面；
１６ｄ      第２傾斜面の突起；
１６ｆ、１６ｆ１  、１６ｆ２          溝；
１６ｇ      間隔；、
２０        かみそり刃；
２０ａ      刃先；
２０ｂ      溝；
２２        間隙；
３０        収納柄；
３０ａ      側板。
【図１】
0003690743.tif 000002
【図２】
0003690743.tif 000003
【図３】
0003690743.tif 000004
【図６】
0003690743.tif 000005
【図７】
0003690743.tif 000006
【図８】
0003690743.tif 000007
【図９】
0003690743.tif 000008
【図１０】
0003690743.tif 000009
【図１１】
0003690743.tif 000010
【図１２】
0003690743.tif 000011
【図１３】
0003690743.tif 000012
【図４】
0003690743.tif 000013
【図５】
0003690743.tif 000014